(57)【特許請求の範囲】
【請求項１】
サーバと、コンテンツを印刷して販売するプリント端末とがネットワークを介して接続されるコンテンツプリントシステムであって、
前記サーバは、
１つ又は複数のユニットから構成される印刷用のコンテンツを記憶する記憶手段、を備え、
前記プリント端末は、
ユーザにコンテンツ及びユニットを選択させる選択手段と、
選択された前記コンテンツの前記ユニットを記憶部又は前記サーバから取得する取得手段と、
取得した前記コンテンツの前記ユニットを印刷する印刷手段と、を備え、
前記サーバは、更に、ユーザごとに購入済みの前記コンテンツ及び前記ユニットを購入情報として記憶し、
前記プリント端末は、
前記ユーザにユーザ情報を入力させる入力手段と、
前記ユーザ情報と、当該ユーザの購入情報とを紐付けて、前記サーバに保存する保存手段と、を更に備え、
前記選択手段は、ユーザ情報が入力された場合に、前記サーバから前記購入情報を取得して、購入済みの前記コンテンツ及び前記ユニットをユーザに通知し、
前記ユーザ情報には、前記ユーザのアドレス情報が含まれ、
前記サーバは、
ユーザの購入情報を参照して、購入済みの前記コンテンツに対して、新たなユニットが追加された場合には、当該ユーザにメッセージを配信する配信手段、を更に備える
ことを特徴とするコンテンツプリントシステム。
【請求項２】
サーバと、コンテンツを印刷して販売するプリント端末とがネットワークを介して接続されるコンテンツプリントシステムであって、
前記サーバは、
１つ又は複数のユニットから構成される印刷用のコンテンツを記憶する記憶手段、を備え、
前記プリント端末は、
ユーザにコンテンツ及びユニットを選択させる選択手段と、
選択された前記コンテンツの前記ユニットを記憶部又は前記サーバから取得する取得手段と、
取得した前記コンテンツの前記ユニットを印刷する印刷手段と、を備え、
前記サーバは、更に、ユーザごとに購入済みの前記コンテンツ及び前記ユニットを購入情報として記憶し、
前記プリント端末は、
前記ユーザにユーザ情報を入力させる入力手段と、
前記ユーザ情報と、当該ユーザの購入情報とを紐付けて、前記サーバに保存する保存手段と、を更に備え、
前記選択手段は、ユーザ情報が入力された場合に、前記サーバから前記購入情報を取得して、購入済みの前記コンテンツ及び前記ユニットをユーザに通知し、
前記サーバは、更に、前記印刷用のコンテンツのカテゴリを記憶し、
前記ユーザ情報には、前記ユーザのアドレス情報が含まれ、
前記サーバは、
ユーザの購入情報を参照して、購入済みの前記コンテンツに対して、同一のカテゴリに含まれる別のコンテンツの情報を、当該ユーザに配信する配信手段、を更に備える
ことを特徴とするコンテンツプリントシステム。
【発明の詳細な説明】
【技術分野】
【０００１】
本発明は、写真プリントシステムを利用して、ペーパークラフト等のコンテンツを製造、販売する技術に関する。
【背景技術】
【０００２】
近年、スマートフォンやデジタルメディアから画像を読み込み、ユーザに選択させた画像をプリントする写真プリントシステム（以下、プリント端末という）が、店頭等に設置され普及している。このようなプリント端末では、画像だけでなく、様々なコンテンツを印刷することが可能である。
【０００３】
また、近年では、デザインやプリント技術等の発達により、コンピュータ上でペーパークラフト用のデータをデザインし、このデータをプリントして、ペーパークラフトを作製することができる。
ペーパークラフトとは、プリントした厚紙から所望の形状を切り抜き、張り合わせて、立体的な模型、例えば、自動車、電車、建物等を製作するものである。
【０００４】
このようなペーパークラフト用のデータは、Ｗｅｂ上に多数掲載されており（例えば、非特許文献１）、ユーザは、自宅のコンピュータにデータをダウンロードして、プリンタで出力し、ペーパークラフトを作製することができる。
【０００５】
また、例えば、特許文献１には、組み立て用展開図やペーパークラフトのテンプレートの所定部分に画像を合成して印刷する写真処理装置の発明が開示されている。ユーザは、印刷したプリント物から、実用的な物（ティッシュ箱カバーや写真立て）や模型を作ることができる。
【先行技術文献】
【特許文献】
【０００６】
【特許文献１】特開２００６−５８４０号公報
【非特許文献】
【０００７】
【非特許文献１】ペーパークラフト  キャノンクリエイティブパーク、［online］、［平成２６年７月２５日検索］、インターネット<http://cp.c-ij.com/ja/contents/1006/>
【発明の概要】
【発明が解決しようとする課題】
【０００８】
前述のプリント端末は、内蔵のハードディスクやネットワークを介して接続されたサーバに、ペーパークラフト等の印刷用のコンテンツを保存しておき、ユーザの選択により、コンテンツを取得して、プリントし販売することも可能である。
しかし、プリント端末や、特許文献１の写真処理装置でペーパークラフト等のコンテンツを製造（印刷）、販売しようとすると、以下のような問題がある。
【０００９】
ペーパークラフト等のコンテンツは、１枚で完結することもあるが、本格的なものになると複数枚に及ぶことが多く、複数枚で１セットのコンテンツを販売する際には高額となり、ユーザの購買意欲を低下させてしまうという問題がある。
【００１０】
また、ユーザがペーパークラフト等のコンテンツを作成している途中にミスをして再購入しようとする際には、本来はミスをしたシート（プリント物）のみを購入すればよいが、複数枚で１セットとなっているコンテンツの場合には、新たにもう１セット購入しなければならず、ユーザの作製意欲を低下させてしまうという問題がある。
【００１１】
また、複数枚に及ぶペーパークラフト等のコンテンツの場合、組み立て説明書が必要となるが、組み立て説明書も同時にプリントすると、時間がかかり、またプリント枚数が増加するため、料金も増加してしまうという問題がある。
【００１２】
本発明は、かかる課題を解決するためになされたものであり、プリント端末にて、複数枚に及ぶペーパークラフト等のコンテンツを製造、販売する場合において、ユーザの購買意欲、作製意欲を持続可能とする技術を提供することを目的とする。
【課題を解決するための手段】
【００２５】
第１の発明は、サーバと、コンテンツを印刷して販売するプリント端末とがネットワークを介して接続されるコンテンツプリントシステムであって、前記サーバは、１つ又は複数のユニットから構成される印刷用のコンテンツを記憶する記憶手段、を備え、前記プリント端末は、ユーザにコンテンツ及びユニットを選択させる選択手段と、選択された前記コンテンツの前記ユニットを記憶部又は前記サーバから取得する取得手段と、取得した前記コンテンツの前記ユニットを印刷する印刷手段と、を備え、前記サーバは、更に、ユーザごとに購入済みの前記コンテンツ及び前記ユニットを購入情報として記憶し、前記プリント端末は、前記ユーザにユーザ情報を入力させる入力手段と、前記ユーザ情報と、当該ユーザの購入情報とを紐付けて、前記サーバに保存する保存手段と、を更に備え、前記選択手段は、ユーザ情報が入力された場合に、前記サーバから前記購入情報を取得して、購入済みの前記コンテンツ及び前記ユニットをユーザに通知し、前記ユーザ情報には、前記ユーザのアドレス情報が含まれ、前記サーバは、ユーザの購入情報を参照して、購入済みの前記コンテンツに対して、新たなユニットが追加された場合には、当該ユーザにメッセージを配信する配信手段、を更に備えることを特徴とするコンテンツプリントシステムである。
【００２６】
第２の発明は、サーバと、コンテンツを印刷して販売するプリント端末とがネットワークを介して接続されるコンテンツプリントシステムであって、前記サーバは、１つ又は複数のユニットから構成される印刷用のコンテンツを記憶する記憶手段、を備え、前記プリント端末は、ユーザにコンテンツ及びユニットを選択させる選択手段と、選択された前記コンテンツの前記ユニットを記憶部又は前記サーバから取得する取得手段と、取得した前記コンテンツの前記ユニットを印刷する印刷手段と、を備え、前記サーバは、更に、ユーザごとに購入済みの前記コンテンツ及び前記ユニットを購入情報として記憶し、前記プリント端末は、前記ユーザにユーザ情報を入力させる入力手段と、前記ユーザ情報と、当該ユーザの購入情報とを紐付けて、前記サーバに保存する保存手段と、を更に備え、前記選択手段は、ユーザ情報が入力された場合に、前記サーバから前記購入情報を取得して、購入済みの前記コンテンツ及び前記ユニットをユーザに通知し、前記サーバは、更に、前記印刷用のコンテンツのカテゴリを記憶し、前記ユーザ情報には、前記ユーザのアドレス情報が含まれ、前記サーバは、ユーザの購入情報を参照して、購入済みの前記コンテンツに対して、同一のカテゴリに含まれる別のコンテンツの情報を、当該ユーザに配信する配信手段、を更に備えることを特徴とするコンテンツプリントシステムである。
【発明の効果】
【００２７】
本発明において、プリント端末にて、複数枚に及ぶペーパークラフト等のコンテンツを製造、販売する場合において、ユーザの購買意欲、作製意欲を持続可能とする技術を提供することができる。
【図面の簡単な説明】
【００２８】
【図１】コンテンツプリントシステムの概要を示す図
【図２】プリント端末の外観斜視図
【図３】プリント端末のハードウエアの構成例を示すブロック図
【図４】サーバのハードウエアの構成例を示すブロック図
【図５】携帯端末のハードウエアの構成例を示すブロック図
【図６】（ａ）ユーザ情報の例を示す図、（ｂ）購入情報の例を示す図
【図７】（ａ）コンテンツ情報の例を示す図、（ｂ）ユニット情報の例を示す図
【図８】コンテンツのユニットデータの例を示す図
【図９】付加情報の例を示す図
【図１０】説明書の例を示す図
【図１１】プリント端末及びサーバのコンテンツ製造販売処理の流れを示すフローチャート
【図１２】プリント端末及びサーバのコンテンツ製造販売処理の流れを示すフローチャート（続き）
【図１３】プリント端末及びサーバのコンテンツ製造販売処理の流れを示すフローチャート（続き）
【図１４】（ａ）メニュー選択画面の例を示す図、（ｂ）購入方法選択画面の例を示す図
【図１５】（ａ）コンテンツ選択画面の例を示す図、（ｂ）ユニット選択画面の例を示す図
【図１６】（ａ）ユニットコードの例を示す図、（ｂ）ユニットコード入力画面の例を示す図
【図１７】（ａ）画像選択画面の例を示す図、（ｂ）画像調整画面の例を示す図、（ｃ）画像合成確認画面の例を示す図
【図１８】描画画面の例を示す図
【図１９】説明書の印刷要否選択画面の例を示す図
【図２０】サーバから携帯端末へのメッセージ配信処理の流れを示すフローチャート
【図２１】携帯端末からサーバへの説明書等の要求処理の流れを示すフローチャート
【発明を実施するための形態】
【００２９】
以下、図面に基づいて、本発明の実施形態を詳細に説明する。
［コンテンツプリントシステムの概要］
図１は、コンテンツプリントシステム１の概要を示す図である。
【００３０】
コンテンツプリントシステム１は、プリント端末１と、サーバ５とがネットワークを介して接続されるシステムであり、さらにこれに携帯端末７が接続されていてもよい。
【００３１】
プリント端末１は、店舗の店頭等に設置されるプリンタを内蔵する端末であり、ユーザの操作により、携帯端末７や、入力メディア（記憶媒体）に記憶されている画像データの入力を受付け、写真の印刷等を行う。とくに、本実施形態では、プリント端末１は、ユーザの操作により、コンテンツを、記憶部又はネットワークを介してサーバ５から取得し、印刷して販売する。
【００３２】
コンテンツは、例えば、ペーパークラフトやブロマイドであり、印刷した場合に、複数枚に及ぶものである。コンテンツの印刷及び販売する単位をユニットという。すなわち、１つのコンテンツは１つ又は複数のユニットから構成され、各ユニットは、１枚又は複数枚の印刷用データから構成される。
【００３３】
サーバ５は、汎用型コンピュータであり、前述したコンテンツ及びそれに関する情報を記憶するとともに、プリント端末１のユーザのユーザ情報及びユーザの購入情報を記憶する。サーバ５は、プリント端末１及び携帯端末７の要求に応じて、情報を送信するとともに、コンテンツやユニットが追加された場合に、購入情報を参照して、ユーザの携帯端末７へメッセージ等を配信する。
【００３４】
携帯端末７は、スマートフォン、タブレット端末、携帯電話、携帯型コンピュータ等である。携帯端末７は、プリント端末１のユーザが所有するものであるとする。携帯端末７は、サーバ５へコンテンツに関する情報を要求して、閲覧したり、サーバ５から配信されるメッセージを受信したりする。なお、携帯端末７は、自宅等に設置されるパーソナルコンピュータでもよい。
【００３５】
ネットワーク９は、情報を伝送するための電気通信回線であり、有線であるか無線であるかを問わない。
【００３６】
［プリント端末のハードウェア構成］
図２は、プリント端末１の外観斜視図である。
【００３７】
プリント端末１は、店頭において、入力メディア（記憶媒体）や携帯端末７に記憶されている画像データを受け付け、印刷を行う端末である。プリント端末１は、予め画像データが記憶された入力メディアや携帯端末７から画像データを入力し、内部に保持する。
【００３８】
入力メディアは、例えば、DVD-ROM／CD-ROM／CD-R／CD-RW、コンパクトフラッシュ（登録商標）、SD（Secure Digital）カード、ミニSDカード、マイクロSDカード、xD−ピクチャーカード、Smart Media（登録商標）、MEMORY STICK（登録商標）、USB（Universal Serial Bus）メモリ等である。
【００３９】
携帯端末７との通信方法は、例えば、ＷｉＦｉ、Bluetooth（登録商標）、赤外線通信、ＮＦＣ（Near Field
Communication）等である。
【００４０】
プリント端末１の上部正面には、タッチパネル付ディスプレイ１１が配置されている。タッチパネル付ディスプレイ１１は、操作の案内、操作の状況、読み込んだ画像データ等を表示するとともに、利用者からの指示を受け付ける。利用者は、タッチパネル付ディスプレイ１１を介して、印刷注文する画像データの選択、画像データの画像処理の指示等を行う。
【００４１】
タッチパネル付ディスプレイ１１の下部には、メディア投入口１２および通信口１３が設けられている。メディア投入口１２は、各メディアの挿入口であり、複数の挿入口が１箇所にまとめて配置されている。通信口１３は、各携帯端末と通信を行うための通信ポートであり、複数の通信ポート（赤外線ポートやUSBポートなど）が１箇所にまとめて配置されている。
【００４２】
プリント端末１の下段部の前面板１４には、レシート取出口１５、硬貨投入口１６および紙幣挿入口１７のような料金投入口、つり銭返却口１８、印刷物取出口１９、ドア開閉キー２０、メンテナンスキー２１等が設けられている。
【００４３】
レシート取出口１５、硬貨投入口１６、紙幣挿入口１７、つり銭返却口１８は、利用者による印刷物の注文内容に応じた入金を要求する課金手段として機能する。利用者は、硬貨投入口１６に硬貨を投入したり、紙幣挿入口１７に紙幣を挿入したりすることにより、印刷物の料金を支払う。つり銭がある場合には、つり銭返却口１８から放出される。また、料金徴収後、徴収金額や注文内容等が印刷されたレシートがレシート取出口１５から放出される。
【００４４】
印刷物取出口１９には、プリント端末１の筐体内に設置されるプリンタにより印刷された印刷物が排出される。ドア開閉キー２０は、プリント端末１の前面板１４を開閉するためのキーである。メンテナンスキー２１は、利用者がプリント端末１を利用可能な運転モードと、管理者がプリント端末１のメンテナンスや設定、レシートの再印刷等を行う管理モードを切り替えるためのキーである。
【００４５】
次に、プリント端末１の基本的動作について説明する。
【００４６】
プリント端末１は、入力メディアから読み込んだ画像データを液晶ディスプレイ等のタッチパネル付ディスプレイ１１に表示する。利用者は、タッチパネル付ディスプレイ１１に設けられたタッチパネルにより、入力メディアや携帯端末７等から読み込んだ画像の中から印刷注文する画像を選択する。
【００４７】
利用者は、タッチパネル付ディスプレイ１１に表示された画面上で、印刷注文する画像データを選択した後、印刷の実行を指示すると、プリント端末１内のコンピュータが内部プリンタに画像データを転送する。
【００４８】
また利用者は、印刷注文する画像の画像データを、インターネット等のネットワーク９を介して、利用者などが所有する汎用のコンピュータや、利用者が管理するホームページ等のサーバに送信することも可能である。
【００４９】
プリント端末１は、利用者に印刷物の印刷注文に応じた料金を算出、表示し、必要に応じてレシートプリンタによりレシート（引換券）を発行し、利用者に支払いを要求する。プリント端末１は、課金手段により利用者の入金が完了すると、印刷データの印刷を開始する。印刷された印刷物は、印刷物取出口１９から排出され、利用者に提供される。
【００５０】
なお、プリント端末１は、料金算出、レシート（引換券）の発行を行うだけでなく、課金機を装備しているため、利用者に入金を要求して現金による課金処理を行うようにすることもできる。
【００５１】
図３は、プリント端末１のハードウエアの構成例を示すブロック図である。
【００５２】
コンピュータ３０は、制御部３１、記憶部３２、入出力部３３、通信部３４等がパス３５に接続されて構成され、各種メディア読取部４１、通信部４２、シャッタ４３、モニタ４４、コインメック４５、ビルバリ４６、レシートジャーナル処理部４７、およびプリンタ４８を制御する。
【００５３】
制御部３１は、プログラムの実行を行うCPU（Central processing Unit）と、プログラム命令あるいはデータ等を格納するためのRAM（Random Access Memory）、ROM（Read Only Memory）等で構成される。制御部３１は、記憶部３２等に格納されたプログラムに従って、バス３５を介して接続された各装置を制御する。
【００５４】
記憶部３２には、制御部３１が実行するプログラム、プログラム実行に必要なデータ、OS（Operating System）等が格納される。プログラムは、例えば、画像入力プログラム、課金処理プログラム、レシート印刷処理プログラム、保守プログラム等である。データは、例えば、画像データや印刷データ等である。
【００５５】
プログラムのコードは、制御部３１により必要に応じて読み出され、RAMに移され、CPUに読み出されて各種機能として実行される。
【００５６】
入出力部３３は、記憶部３２に格納されているプログラム等の更新や、プリント端末１の設定等を行うメンテナンス時に用いられる。
【００５７】
通信部３４は、通信制御装置、通信ポート等を有し、プリント端末１とネットワーク９間の通信を媒介する通信インターフェースである。通信部３４は、ネットワーク９を介してプリント端末１と他の外部装置間の通信制御を行う。
【００５８】
各種メディア読取部４１は、メディア投入口１２の各メディアの挿入口に対応してプリント端末１内部に設けられ、挿入された入力メディアに予め記憶されている画像データを読み込む。通信部４２は、通信口１３の各通信ポートに対応して設置されており、通信中の携帯端末７に予め記憶されている画像データを読み込む。
【００５９】
シャッタ４３は、メディア投入口１２の各挿入口に設けられ、入力メディアの挿入口を開閉し、読取処理の最中や、課金処理が完了するまで、入力メディアを取り出せないようにする。モニタ４４は、タッチパネル付ディスプレイ１１である。
【００６０】
コインメック４５、ビルバリ４６、レシートジャーナル処理部４７は、課金機能の役割を果たす。
コインメック４５は、硬貨投入口１６に対応してプリント端末１内部に設けられ、硬貨の入出力を管理する。ビルバリ４６は、紙幣挿入口１７に対応してプリント端末１内部に設けられ、紙幣の入出力を管理する。レシートジャーナル処理部４７は、レシート取出口１５に対応してプリント端末１内部に設けられ、利用者の徴収金額や注文内容に応じたレシートを印刷する。
【００６１】
プリンタ４８は、印刷物取出口１９に対応してプリント端末１内部に設けられ、印刷物を印刷する。プリンタ４８は、画像データを印刷する高解像度カラープリンタであり、熱転写プリンタあるいはインクジェット型など、プリンタの方式は特に問わない。印刷する記録媒体は、シート状またはロール状の紙である。
【００６２】
なお、プリンタ４８は、プリント端末１内部に設けられ、そこで印刷が行われるが、これに限らず、例えば、通信部３４およびネットワークを介して接続されたプリンタサーバに画像データを転送し、そこで印刷を行わせることも可能である。
【００６３】
［サーバのハードウェア構成］
図４は、サーバ５のハードウエアの構成例を示すブロック図である。なお、図４のハードウェア構成は一例であり、用途、目的に応じて様々な構成をとることが可能である。
【００６４】
サーバ５を実現するコンピュータは、制御部５１、記憶部５２、メディア入出力部５３、通信制御部５４、入力部５５、表示部５６、及び、周辺機器Ｉ／Ｆ部５７等が、バス５８を介して接続されて構成される。
【００６５】
制御部５１は、ＣＰＵ、ＲＯＭ、ＲＡＭ等で構成される。ＣＰＵは、記憶部５２、ＲＯＭ、記録媒体等に格納されるプログラムをＲＡＭ上のワークメモリ領域に呼び出して実行し、バス５８を介して接続された各装置を駆動制御し、後述する処理を実現する。
【００６６】
ＲＯＭは、不揮発性メモリであり、コンピュータのブートプログラムやＢＩＯＳ（Basic I/O System）等のプログラム、データ等を恒久的に保持している。ＲＡＭは、揮発性メモリであり、記憶部５２、ＲＯＭ、記録媒体等からロードしたプログラム、データ等を一時的に保持するとともに、制御部５１が各種処理を行う為に使用するワークエリアを備える。
【００６７】
記憶部５２は、ＨＤＤ（Hard
Disk Drive）又はフラッシュメモリ等であり、制御部５１が実行するプログラム、プログラム実行に必要なデータ、ＯＳ等が格納される。プログラムに関しては、ＯＳに相当する制御プログラムや、後述する処理をコンピュータに実行させるためのアプリケーションプログラムが格納されている。これらの各プログラムコードは、制御部５１により必要に応じて読み出されてＲＡＭに移され、各種の手段として実行される。
【００６８】
メディア入出力部５３（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）等のメディア入出力装置を有する。通信制御部５４は、通信制御装置、通信ポート等を有し、コンピュータとネットワーク間の通信を媒介する通信インタフェースであり、ネットワークを介して、他のコンピュータ間との通信制御を行う。ネットワークは、有線、無線を問わない。
【００６９】
入力部５５は、データの入力を行い、例えば、キーボード、マウス等のポインティングデバイス、テンキー等の入力装置を有する。入力部５５を介して、コンピュータに対して、操作指示、動作指示、データ入力等を行うことができる。
【００７０】
表示部５６は、ＣＲＴモニタ、液晶パネル等のディスプレイ装置、ディスプレイ装置と連携してコンピュータのビデオ機能を実現するための論理回路等（ビデオアダプタ等）を有する。なお、入力部５５及び表示部５６は、タッチパネルディスプレイのように、一体となっていても良い。
【００７１】
周辺機器Ｉ／Ｆ（インタフェース）部５７は、コンピュータに周辺機器を接続させるためのポートであり、周辺機器Ｉ／Ｆ部５７を介してコンピュータは周辺機器（プリンタ、イメージスキャナ、複合機等）とのデータの送受信を行う。
バス５８は、各装置間の制御信号、データ信号等の授受を媒介する経路である。
【００７２】
［携帯端末のハードウェア構成］
図５は、携帯端末７のハードウエアの構成例を示すブロック図である。なお、図５のハードウェア構成は一例であり、用途、目的に応じて様々な構成をとることが可能である。
【００７３】
携帯端末７を実現するコンピュータは、制御部７１、記憶部７２、通信制御部７３、入力部７４、表示部７５、Ｉ／Ｆ部７６、カメラ７７等がバス７８を介して接続されて構成される。
【００７４】
携帯端末７の制御部７１、記憶部７２、通信制御部７３、入力部７４、表示部７５、Ｉ／Ｆ部７６、及び、バス７８の機能は、それぞれ、サーバ５の制御部５１、記憶部５２、通信制御部５４、入力部５５、表示部５６、周辺機器Ｉ／Ｆ部５７、及び、バス５８とほぼ同一であるので、その説明を省略する。
【００７５】
カメラ７７は、静止画像を撮影するデジタルカメラであり、撮影した静止画像を電気的信号に変換できるものであればよく、ＣＭＯＳ（Complementary Metal-Oxide Semiconductor）やＣＣＤ（Charge Coupled Device）等の撮影素子を備えたものである。カメラ７７には、動画像を撮影する機能があってもよい。
【００７６】
［サーバの記憶部の情報］
次に、図６〜図１０を参照して、サーバ５の記憶部５２に記憶される情報について説明する。
【００７７】
図６（ａ）は、ユーザのユーザ情報５０１である。ここでいうユーザとは、プリント端末１のユーザであり、このユーザは、携帯端末７のユーザでもある。
ユーザ情報５０１は、ユーザごとに記憶される情報であり、少なくとも、ユーザＩＤ５０１１、パスワード５０１２、名前５０１３、メールアドレス５０１４が紐付けられて構成される。
【００７８】
ユーザＩＤ５０１１は、ユーザ情報５０１を一意に識別するための識別子である。
パスワード５０１２は、ユーザがユーザ情報５０１にアクセスする際に要求される情報である。
名前５０１３は、ユーザの名前である。
メールアドレス５０１４は、ユーザへメールを送信する際のメールアドレスである。例えば、ユーザが所持する携帯端末７へメッセージを送信する際に用いられる。
【００７９】
図６（ｂ）は、ユーザの購入情報５０２である。
購入情報５０２は、少なくとも、ユーザＩＤ５０２１、コンテンツＩＤ５０２２、ユーザＮｏ５０２３が紐付けられて構成される。
【００８０】
ユーザＩＤ５０２１は、ユーザのユーザＩＤであり、図６（ａ）のユーザ情報５０１のユーザＩＤ５０１１のいずれかと対応している。
コンテンツＩＤ５０２２は、ユーザが購入したコンテンツのコンテンツＩＤである。
ユニットＮｏ５０２３は、ユーザが購入したコンテンツＩＤに係るコンテンツのユニットの番号である。
【００８１】
図７（ａ）は、コンテンツのコンテンツ情報５０３である。
本実施形態のコンテンツとは、例えば、ペーパークラフトであり、以下では、ペーパークラフトのコンテンツを前提に説明するが、コンテンツはこれに限られない。前述したように、コンテンツは、１つ又は複数のユニットから構成され、各ユニットは、１枚又は複数枚の印刷用データから構成される。
【００８２】
コンテンツ情報５０３は、コンテンツごとに記憶される情報であり、少なくとも、コンテンツＩＤ５０３１、ユニットＮｏ５０３２、カテゴリ５０３３、説明書５０３４、組み立て動画５０３５が紐付けられて構成される。
【００８３】
コンテンツＩＤ５０３１は、コンテンツを一意に識別する識別子である。
ユニットＮｏ５０３２は、コンテンツに含まれるユニットを示す番号である。
カテゴリ５０３３は、コンテンツの含まれるカテゴリを示す情報であり、例えば、番号で示される。例えば、１は「自動車」のカテゴリであり、２は「電車」のカテゴリであり、３は「建物」のカテゴリである。
【００８４】
説明書５０３４は、コンテンツの説明書のデータである（ファイル名及びそのフォルダの位置等で表される）。図１０で後述する。
組み立て動画５０３５は、コンテンツの組み立て方法を示す動画のデータである（ファイル名及びそのフォルダの位置等で表される）。例えば、ペーパークラフトの各パーツや全体の３次元モデルを作成し、全方向から閲覧可能なように撮影して動画化したものである(図示しない)。
【００８５】
図７（ｂ）は、コンテンツを構成するユニットのユニット情報５０４である。
ユニット情報５０４は、少なくとも、コンテンツＩＤ５０４１、ユニットＮｏ５０４２、ユニットデータ５０４３、付加情報５０４４、ユニットコード５０４５が紐付けられてから構成される。
【００８６】
コンテンツＩＤ５０４１は、コンテンツのコンテンツＩＤであり、図７（ａ）のコンテンツ情報５０３のコンテンツＩＤ５０３１のいずれかと対応している。
ユニットＮｏは、ユニットの番号であり、図７（ａ）のコンテンツ情報５０３において、コンテンツＩＤ５０４１と一致するコンテンツＩＤ５０３１をもつコンテンツのユニットＮｏ５０３２のいずれかと対応している。
【００８７】
ユニットデータ５０４３は、ユニットの実体となるデータである（ファイル名及びそのフォルダの位置等で表される）。図８で後述する。
付加情報５０４４は、ユニットに関する付加情報のデータである（ファイル名及びそのフォルダの位置等で表される）。図９で後述する。
【００８８】
ユニットコード５０４５は、ユニットを一意に識別可能なコードである。図１６（ａ）で後述するように、ユニットコード５０４５は、ユニットデータ５０４３に、英数字コード１１５１や、符号化された２次元コード１１５２等として合成されている。
【００８９】
図８は、コンテンツのユニットデータの例である。
図８では、ユニットデータ５０４３を実際に印刷したもの（又は画面に表示したもの）を示した。
【００９０】
図８（ａ）の５０５１は、図７（ｂ）におけるコンテンツＩＤ５０４１がＣ００１で、ユニットＮｏ５０４２が１の例（C001-1.pdf）である。
図８（ｂ）の５０５２は、同様に、コンテンツＩＤ５０４１がＣ００１で、ユニットＮｏ５０４２が２の例（C001-2.pdf）である。
図８（ｃ）の５０５３は、同様に、コンテンツＩＤ５０４１がＣ００１で、ユニットＮｏ５０４２が３の例（C001-3.pdf）である。
【００９１】
５０５１〜５０５３のユニットデータから分かるように、これらを所定の紙に印刷して、形状を切り抜き張り合わせると、自動車の立体的な模型を作製することができる。
なお、図８では、各ユニットは、印刷した際に１枚となるデータであるが、複数枚となるデータであってもよい。
【００９２】
図９は、ユニットの付加情報の例５０７である。
付加情報５０４４は、ユニットごとにあり、少なくとも、プリント種別５０７１、画像データ合成情報５０７２、描画データ合成情報５０７３を含んで構成される。
【００９３】
プリント種別５０７１（［PrintType］）は、ユニットを印刷する際の印刷方法の情報であり、例えば、グロスプリント（Glossy）とマットプリント（Matte）とがある。
グロスプリントは、自動車の車体のようにツヤを表現したいユニットに用いるのが好ましく、マットプリントは、建物のように表面のザラつきを表現したいユニットに用いるのが好ましい。
【００９４】
画像データ合成情報５０７２（［ImageSynthesis］）は、画像データ（ユーザの入力する画像等）の合成に関する情報であり、ImageSysthesis=Tureである場合、当該ユニットに画像データを合成可能であることを示す。合成可能な場合、当該ユニットの例えば左上を原点とし、右方向をＸ軸、下方向をＹ軸とする座標系が設定されているとして、Left=x、Top=yは、画像合成可能な矩形領域の左上の座標を示し、Width=Wは、画像合成可能な矩形領域の幅を示し、Height=Hは、画像合成可能な矩形領域の高さを示す。
【００９５】
描画データ合成情報５０７３（［EditImage］）は、描画データ（ユーザの描画した画像等）の合成に関する情報であり、EditImage=Trueである場合、当該ユニットに描画データを合成可能であることを示す。Left=x、Top=y、Width=W、Height=Hは、描画可能な矩形領域を表し、その意味は、画像データ合成情報５０７２のものと同一である。
【００９６】
図１０は、コンテンツの説明書の例５０８（C001.pdf）を示す図である。
説明書５０３４は、コンテンツがペーパークラフトのコンテンツである場合には、コンテンツ（ユニット）の組み立て方法を示すものである。説明書５０３４は、印刷した際に１枚となるデータでも複数枚となってもよい。
【００９７】
なお、図７〜図１０に示したコンテンツに関する情報は、プリント端末１の記憶部３２に記憶されていてもよい。とくに、図７（ａ）のコンテンツ情報５０３、図７（ｂ）のユニット情報５０４は、プリント端末１の記憶部３２にも記憶されていることが好ましい。
【００９８】
［コンテンツ製造販売処理］
続いて、図１１〜図１９を用いて、コンテンツ製造販売処理について説明する。
図１１〜図１３は、プリント端末１及びサーバ５のコンテンツ製造販売処理の流れを示すフローチャートである。
【００９９】
コンテンツ製造販売処理は、ユーザが店舗の店頭等に設置されているプリント端末１を操作する状況での処理である。プリント端末１とサーバ５とはネットワーク９を介して接続されているものとする。また、以下でコンテンツは、ペーパークラフトのコンテンツを前提とするが、これに限られるものではない。
【０１００】
まず、プリント端末１の制御部３１は、メニュー選択画面１１１を表示する（ステップＳ１１）。
図１４（ａ）は、メニュー選択画面１１１の例を示す図である。メニューには、例えば、「写真プリント」、「フォトブックプリント」、「コンテンツプリント」１１１１等がある。「コンテンツプリント」１１１１は、本実施形態のメニューであり、以下で説明する。
【０１０１】
図１１に戻り、プリント端末１の制御部３１は、タッチパネル付モニタ４４（以下、モニタ４４という）から、ユーザによるメニュー選択を受け付ける（ステップＳ１２）。
選択されたメニューが「コンテンツプリント」１１１１以外の場合には（ステップＳ１２で「その他のメニュー」）、プリント端末１の制御部３１は、選択されたメニューに応じた処理を行い（ステップＳ１３）、その後、処理を終了する。
【０１０２】
選択されたメニューが「コンテンツプリント」１１１１の場合には（ステップＳ１２で「コンテンツプリント」）、プリント端末１の制御部３１は、ステップＳ１４へ進む。
【０１０３】
次に、プリント端末１の制御部３１は、購入方法選択画面１１２を表示する（ステップＳ１４）。
【０１０４】
図１４（ｂ）は、購入方法選択画面１１２の例を示す図である。購入方法には、少なくとも、「新規購入」１１２１、「続きを購入」１１２２、「再購入」１１２３がある。
「新規購入」１１２１は、ユーザがペーパークラフトのコンテンツのユニットを新しく購入する際に選択するメニューである。
「続きを購入」１１２２は、ユーザがペーパークラフトのコンテンツのユニットを以前に購入し、その続きのユニットを購入する際に選択するメニューである。
「再購入」１１２３は、ユーザがペーパークラフトのコンテンツのユニットを以前に購入したが、作製に失敗した等の理由で再購入する際に選択するメニューである。
【０１０５】
図１１に戻り、プリント端末１の制御部３１は、モニタ４４から、ユーザによる購入方法の選択を受け付ける（ステップＳ１５）。
選択されたメニューが「新規購入」１１２１の場合には（ステップＳ１５で「新規購入」）、プリント端末１の制御部３１は、ステップＳ２３へ進む。
【０１０６】
選択されたメニューが「続きを購入」１１２２の場合には（ステップＳ１５で「続きを購入」）、プリント端末１の制御部３１は、ユーザ情報５０１を入力するか否かの確認画面（図示しない）をモニタ４４に表示して、ユーザに選択させる（ステップＳ１６）。ユーザは、ユーザ情報５０１を入力することにより、以前の購入情報５０２を利用することができる。
【０１０７】
ユーザがユーザ情報５０１を入力しない選択をした場合には（ステップＳ１６でＮｏ）、プリント端末１の制御部３１は、ステップＳ２３へ進む。
【０１０８】
一方、ユーザがユーザ情報５０１を入力する選択をした場合には（ステップＳ１６でＹｅｓ）、プリント端末１の制御部３１は、ユーザ情報入力画面（図示しない）をモニタ４４に表示して、ユーザ情報５０１（ユーザＩＤ５０１１、パスワード５０１２）を入力させる（ステップＳ１７）。
プリント端末１の制御部３１は、ユーザによりユーザ情報５０１が入力されると、ユーザ情報５０１を、サーバ５へ送信する（ステップＳ１８）。
【０１０９】
すると、サーバ５の制御部５１は、プリント端末１から、ユーザ情報５０１（ユーザＩＤ５０１１、パスワード５０１２）を受信し、記憶部５２に記憶されているユーザ情報５０１（図６（ａ））を参照して、正しいユーザＩＤ５０１１、パスワード５０１２か否かを認証する。（ステップＳ１９）。
【０１１０】
正しいユーザＩＤ５０１１、パスワード５０１２であったならば、サーバ５の制御部５１は、記憶部５２に記憶されている購入情報５０２（図６（ｂ））から、ユーザＩＤ５０１１と一致するユーザＩＤ５０２１のコンテンツＩＤ５０２２、ユニットＮｏ５０２３を取得し、購入情報５０２としてプリント端末１へ送信する（ステップＳ２０）。
【０１１１】
すると、プリント端末１の制御部３１は、購入情報５０２を受信し（ステップＳ２１）、購入情報５０２から、コンテンツＩＤ５０２２、ユニットＮｏ５０２３を取得して、ユーザの以前に購入した情報を特定する（ステップＳ２２）。
【０１１２】
なお、ステップＳ１９において、認証に失敗した場合には、サーバ５の制御部５１は、プリント端末１へ認証に失敗したことを通知し、プリント端末１の制御部３１は、通知を受信すると、ステップＳ２３へ進む。
【０１１３】
次に、プリント端末１の制御部３１は、コンテンツ選択画面１１３及びユニット選択画面１１４を表示し（ステップＳ２３）、ユーザに、コンテンツ及びユニットを選択させる（図１２に移り、ステップＳ２４）。
【０１１４】
図１５（ａ）は、コンテンツ選択画面１１３の例を示す図である。
プリント端末１の制御部３１は、記憶部３２に記憶されているコンテンツ情報５０３（図７（ａ））を参照して、例えば、カテゴリ１１３１ごとに、コンテンツ１１３２を表示する。図１５（ａ）の例では、カテゴリ１１３１は「車」であり、このカテゴリ１１３１に対応するコンテンツ１１３２が「車１」、「車２」、「車３」と表示されている。コンテンツ１１３２には、実際には、そのコンテンツを表すサムネイル等が表示されることが好ましい。
【０１１５】
「続きを購入」１１２２する場合で、ステップＳ２２（図１１）において、ユーザの以前の購入情報５０２を特定している場合には、プリント端末１の制御部３１は、コンテンツ情報５０３（図７（ａ））を参照して、コンテンツの全てのユニットを購入済みであれば、当該コンテンツに「レ」１１３３を付して、ユーザに通知する。同様に、コンテンツの全てのユニットを購入していないが、一部のユニットを購入済みであれば、当該コンテンツに「ｉ」１１３４を付して、ユーザに通知する。
【０１１６】
ユーザは、選択枠１１３５を希望のコンテンツ１１３２に移動させ、「確定」ボタン１１３６を押して、コンテンツ１１３２を選択する。
【０１１７】
図１５（ｂ）は、ユニット選択画面１１４の例を示す図である。
プリント端末１の制御部３１は、コンテンツ選択画面１１３で選択されたコンテンツ１１３２を、コンテンツ１１４１として表示し、また、記憶部３２に記憶されているユニット情報５０４（図７（ｂ））を参照して、コンテンツ１１４１のユニット１１４２を表示する。
【０１１８】
ユニット１１４２は、（購入可能な）ユニット１１４２ａと、（準備中の）ユニット１１４２ｂとで違いが分かるように表示する。（準備中の）ユニット１１４２ｂとは、ユーザがまだ購入可能でないユニットで、例えば、図７（ａ）のコンテンツ情報５０３のコンテンツＩＤ５０３１に対応するユニットＮｏ５０３２はあるが、図７（ｂ）に、対応するコンテンツＩＤ５０４１とユニットＮｏ５０４２の組がないものとして特定される。
【０１１９】
図１５（ｂ）の例では、コンテンツ１１４１は「車２」であり、このコンテンツ１１４１に対応する（購入可能な）ユニット１１４２ａが「シャーシ２枚」、「タイヤ、ホイール３枚」として表示され、（準備中の）ユニット１１４２ｂが「ボディ２枚」として表示されている。ユニット１１４２は、実際には、そのユニットを示すサムネイル等が表示されることが好ましい。
【０１２０】
「続きを購入」１１２２する場合で、ステップＳ２２（図１１）において、ユーザの以前の購入情報５０２を特定している場合には、プリント端末１の制御部３１は、ユニット情報５０４（図７（ｂ））を参照して、ユニット１１４２を購入済みであれば、当該コンテンツ１１４２に「レ」１１４３を付して、ユーザに通知する。
【０１２１】
ユーザは、選択枠１１４４を希望のユニット１１４２に移動させ、「確定」ボタン１１４５を押して、ユニット１１４２を選択する。
【０１２２】
図１２に戻り、プリント端末１の制御部３１は、選択されたコンテンツのユニットを取得する（ステップＳ２５）。具体的には、プリント端末１の制御部３１は、ユニット情報５０４（図７（ｂ））を参照して、ステップＳ２４で選択されたコンテンツのコンテンツＩＤ５０４１及びユニットのユニットＮｏ５０４２に対応するユニットデータ５０４３で示されるファイルを、記憶部３２から取得する。なお、プリント端末１の制御部３１は、当該ファイルが記憶部３２にない場合には、サーバ５から取得してもよい。
また、プリント端末１の制御部３１は、選択されたコンテンツのコンテンツＩＤ５０３１（５０４１）及びユニットのユニットＮｏ５０４２を取得する。
【０１２３】
一方、図１１のステップＳ１５へに戻り、選択されたメニューが「再購入」１１２３の場合には（ステップＳ１５で「再購入」）、プリント端末１の制御部３１は、ユニットコード５０４５を入力するか否かの確認画面（図示しない）をモニタ４４に表示して、ユーザに選択させる（ステップＳ２６）。
【０１２４】
図１６（ａ）は、ユニットコード５０４５の例を示す図である。図１６（ａ）に示すように、印刷されたコンテンツのユニット１１５には、当該ユニットを特定するための英数字コード１１５１、２次元コード（ＱＲコード（登録商標）等）１１５２、又は、電子透かし（図示しない）等が印刷されている。英数字コードは１１５１は、ユニットコード５０４５であり、２次元コード１１５２又は電子透かしは、ユニットコード５０４５が符号化されたものである。ユーザは、ユニットコード５０４５を入力することにより、以前に購入したユニットを特定することができる。
【０１２５】
図１１に戻り、ユーザがユニットコード５０４５を入力しない選択をした場合には（ステップＳ２６でＮｏ）、プリント端末１の制御部３１は、ステップＳ１６へ進む。
【０１２６】
一方、ユーザがユニットコード５０４５を入力する選択をした場合には（ステップＳ２６でＹｅｓ）、プリント端末１の制御部３１は、ユニットコード入力画面１１６をモニタ４４に表示して、ユニットコード５０４５を入力させる（ステップＳ２７）。
【０１２７】
図１６（ｂ）は、ユニットコード入力画面１１６の例を示す図である。例えば、図１６（ａ）のように、印刷したコンテンツのユニット１１５に英数字コード１１５１が付されている場合には、ユーザは、ユニットコード入力欄１１６１に、当該英数字コード１１５１をユニットコード５０４５として入力する。また、図１６（ａ）のように、印刷したコンテンツのユニット１１５に、２次元コード１１５２が付されている場合には、ユーザは、携帯端末７のカメラ７７で当該２次元コード１１５２を読み取り、プリント端末１へ送信することによりユニットコード５０４５を入力してもよい。
【０１２８】
図１１に戻り、プリント端末１の制御部３１は、ユニット情報５０４（図７（ｂ））を参照して、該当するユニットコード５０４５があるか否か確認する（ステップＳ２８）。
該当するユニットコード５０４５がない場合には（ステップＳ２８でＮｏ）、プリント端末１の制御部３１は、ステップＳ２６へ戻る。一方、該当するユニットコード５０４５がある場合には（ステップＳ２８でＹｅｓ）、プリント端末１の制御部３１は、ステップＳ２９へ進む。
【０１２９】
次に、プリント端末１の制御部３１は、ユニットコード５０４５に対応するユニットを取得して表示する（ステップＳ２９）。具体的には、プリント端末１の制御部３１は、ユニット情報５０４（図７（ｂ））を参照して、ユニットコード５０４５に対応するユニットデータ５０４３で示されるファイルを、記憶部３２から取得し、モニタ４４に表示する。なお、プリント端末１の制御部３１は、当該ファイルが記憶部３２にない場合には、サーバ５から取得してもよい。
また、プリント端末１の制御部３１は、ユニットコードに対応するコンテンツＩＤ５０３１（５０４１）及びユニットＮｏ５０４２も取得する。
【０１３０】
次に、プリント端末１の制御部３１は、表示されたコンテンツのユニットでＯＫか否かの確認画面（図示しない）をモニタ４４に表示し、ユーザに選択させる（ステップＳ３０）。
ＯＫでない場合には（ステップＳ３０でＮｏ）、プリント端末１の制御部３１は、ステップＳ２６へ戻る。一方、ＯＫの場合には（ステップＳ３０でＹｅｓ），プリント端末１の制御部３１は、ステップＳ３１（図１２）へ進む。
【０１３１】
図１２に移り、次に、プリント端末１の制御部３１は、コンテンツのユニットへ画像合成可能か否か確認する（ステップＳ３１）。具体的には、プリント端末１の制御部３１は、ユニット情報５０４（図７（ｂ））を参照して、コンテンツＩＤ５０４１及びユニットＮｏ５０４２に対応する付加情報５０４４のファイル（図９）を取得し、当該ファイルの画像データ合成情報５０７２に含まれるImageSynthesis=Trueであるか否か確認する（ステップＳ３１）。
【０１３２】
Trueでない場合には（ステップＳ３１でＮｏ）、プリント端末１の制御部３１は、ステップＳ３５へ進む。
一方、Trueである場合には（ステップＳ３１でＹｅｓ）、プリント端末１の制御部３１は、ステップＳ３２へ進み、画像合成するか否か確認画面（図示しない）をモニタ４４に表示し、ユーザに選択させる（ステップＳ３２）。
【０１３３】
画像合成をしない場合には（ステップＳ３２でＮｏ）、プリント端末１の制御部３１は、ステップＳ３５へ進む。
一方、画像合成をする場合には（ステップＳ３２でＹｅｓ）、プリント端末１の制御部３１は、モニタ４４に画像選択画面１１７及び画像調整画面１１８を表示して、ユーザに画像の選択、及び、選択した画像の調整を行わせる（ステップＳ３３）。
【０１３４】
図１７（ａ）は、画像選択画面１１７の例を示す図である。
プリント端末１の制御部３１は、ユーザの入力メディア又は携帯端末７から、各種メディア読取部４１又は通信部４２を介して、画像データを読み取り、読み取った画像データを画像選択部１１７１に表示する。
ユーザは、選択枠１１７２を希望の画像データに移動させ、「ＯＫ」ボタン１１７３を押して、画像データを選択する。
【０１３５】
図１７（ｂ）は、画像調整画面１１８の例を示す図である。
プリント端末１の制御部３１は、画像選択画面１１７で選択された画像データ１１８１を中央に表示する。
ユーザは、操作部１１８２で画像データ１１８１を回転等したり、色調整部１１８３で画像データ１１８１の色調整をすることができる。また、ユーザは、マーカー１１８４により、画像データ１１８１に対して、タッチによるトリミングや領域指定を行うことができる。
ユーザは、画像データ１１８１の調整を行い、「ＯＫ」ボタン１１８５を押して、画像データの調整を確定する。
【０１３６】
図１２に戻り、次に、プリント端末１の制御部３１は、選択及び調整された画像データ１１８１をユニットデータ５０４３に合成する（ステップＳ３４）。具体的には、プリント端末１の制御部３１は、ステップＳ３１で参照した付加情報５０４４のファイル（図９）の画像データ合成情報５０７２に含まれるLeft=x、Top=y、Width=W、Height=Hで示される画像合成可能な矩形領域を取得して、ユニットデータ５０４３の当該矩形領域に、画像データ１１８１を合成する。
そして、プリント端末１の制御部３１は、モニタ４４に合成画像確認画面１１９を表示する。
【０１３７】
図１７（ｃ）は、合成画像確認画面１１９の例を示す図である。
プリント端末１の制御部３１は、選択及び調整された画像データ１１９１を、画像合成可能な矩形領域に合成したユニットデータ１１９２を表示する。
ユーザは、「ＯＫ」ボタン１１９３を押して確認する。
【０１３８】
図１２に戻り、次に、プリント端末１の制御部３１は、コンテンツのユニットへ描画可能か否か確認する（ステップＳ３５）。具体的には、プリント端末１の制御部３１は、ユニット情報５０４（図７（ｂ））を参照して、コンテンツＩＤ５０４１及びユニットＮｏ５０４２に対応する付加情報５０４４のファイル（図９）を取得し、当該ファイルの描画データ合成情報５０７３に含まれるEditImage=Trueであるか否か確認する。
【０１３９】
Trueでない場合には（ステップＳ３５でＮｏ）、プリント端末１の制御部３１は、ステップＳ３８へ進む。
一方、Trueである場合には（ステップＳ３５でＹｅｓ）、プリント端末１の制御部３１は、ステップＳ３６へ進み、描画するか否か確認画面（図示しない）をモニタ４４に表示し、ユーザに選択させる（ステップＳ３６）。
【０１４０】
描画しない場合には（ステップＳ３６でＮｏ）、プリント端末１の制御部３１は、ステップＳ３８へ進む。
一方、画像合成をする場合には（ステップＳ３６でＹｅｓ）、プリント端末１の制御部３１は、モニタ４４に描画画面１２０を表示して、ユーザに描画をさせ、描画結果の画像データをユニットデータ５０４３に合成する（ステップＳ３７）。
【０１４１】
図１８は、描画画面１２０の例を示す図である。
プリント端末１の制御部３１は、ユニットデータ１２０１を表示するとともに、ステップＳ３５で参照した付加情報５０４４のファイル（図９）の描画データ合成情報５０７３に含まれるLeft=x、Top=y、Width=W、Height=Hで示される描画可能な矩形領域１２０２を点線等で示す。
ユーザは、操作部１２０３等を用いて、描画可能な矩形領域１２０２に描画することができる。ユーザは、描画し終えたら、「ＯＫ」ボタン１２０４を押して、描画を確定する。
プリント端末１の制御部３１は、描画可能な矩形領域１２０２に描画された画像データを、ユニットデータ１２０１に合成する。
【０１４２】
図１２に戻り、次に、プリント端末１の制御部３１は、モニタ４４に説明書の印刷要否選択画面１２１を表示し、説明書５０３４の印刷が必要か否かユーザに選択させる（ステップＳ３８）。
説明書５０３４が必要でない場合には（ステップＳ３８でＮｏ）、プリント端末１の制御部３１は、ステップＳ４０へ進む。
【０１４３】
一方、説明書５０３４が必要な場合には（ステップＳ３８でＹｅｓ）、プリント端末１の制御部３１は、記憶部３２に記憶されているコンテンツ情報５０３（図７（ａ））から、選択されたコンテンツのコンテンツＩＤ５０３１に対応する説明書５０３４のファイルを取得する（ステップＳ３９）。なお、プリント端末１の制御部３１は、説明書５０３４のファイルが記憶部３２にない場合には、サーバ５から取得してもよい。
【０１４４】
図１９は、説明書の印刷要否選択画面１２１の例を示す図である。
ユーザは、「プリントする」１２１１、「プリントしない」１２１２、「スマートフォンヘ送信」１２１３を選択し、「ＯＫ」ボタン１２１４を押して、確定する。
なお、「スマートフォンへ送信」１２１３が選択された場合には、プリント端末１の制御部３１は、ユーザ情報５０１（図６（ａ））を参照して、ユーザＩＤ５０１１に対応するメールアドレス５０１４に説明書５０３４のデータを送信してもよい。また、ユーザ登録等がされていない場合には、ユーザ登録等がされた後（ステップＳ４８以降）、プリント端末１の制御部３１は、説明書５０３４のデータを送信してもよい。
【０１４５】
図１２に戻り、プリント端末１の制御部３１は、モニタ４４に注文終了か否かの確認画面（図示しない）を表示し、ユーザに選択させる（ステップＳ４０）。
注文終了でない場合には（ステップＳ４０でＮｏ）、プリント端末１の制御部３１は、ステップＳ１４（図１１）へ戻る。
一方、注文終了する場合には（ステップＳ４０でＹｅｓ）、プリント端末１の制御部３１は、ステップＳ４１（図１３）へ進む。
【０１４６】
図１３に移り、次に、プリント端末１の制御部３１は、ユーザ情報５０１を認証済み否か判定する（ステップＳ４１）。なお、ユーザ情報５０１を認証済みと判定できるのは、ステップＳ２１（図１１）で、正しく以前の購入情報５０２を受信している場合である。
【０１４７】
ユーザ情報５０１を認証済みの場合には（ステップＳ４１でＹｅｓ）、プリント端末１の制御部３１は、ステップＳ４８へ進む。一方、ユーザ情報５０１を認証済みでない場合には（ステップＳ４１でＮｏ）、プリント端末１の制御部３１は、ステップＳ４２へ進む。
【０１４８】
次に、プリント端末１の制御部３１は、ユーザ情報５０１を認証又は登録するか否かの確認画面（図示しない）をモニタ４４に表示して、ユーザに選択させる（ステップＳ４２）。
【０１４９】
ユーザ情報の認証又は登録しない場合には（ステップＳ４２でＮｏ）、プリント端末１の制御部３１は、ステップＳ５０へ進む。この場合には、プリント端末１の制御部３１は、ユーザ情報５０１がないため、サーバ５へ購入情報の登録ができない。
【０１５０】
一方、ユーザ情報５０１の認証又は登録をする場合には（ステップＳ４２でＹｅｓ）、プリント端末１の制御部３１は、ステップＳ４３へ進み、ユーザ情報５０１の入力画面（図示しない）をモニタ４４に表示し、ユーザにユーザ情報５０１を入力させる（ステップＳ４３）。
【０１５１】
ユーザ情報５０１は、ユーザ情報５０１の認証を行う場合には、ユーザＩＤ５０１１、パスワード５０１２のみでよく、ユーザ情報５０１の登録を行う場合には、ユーザＩＤ５０１１、パスワード５０１２、名前５０１３、メールアドレス５０１４等である。
【０１５２】
次に、プリント端末１の制御部３１は、ユーザ情報５０１をサーバ５へ送信する（ステップＳ４４）。
すると、サーバ５の制御部５１は、ユーザ情報５０１を受信し、ユーザ情報５０１の認証又は登録を行う（ステップＳ４５）。
具体的には、サーバ５の制御部５１は、ユーザ情報５０１の認証の場合には、記憶部５２に記憶されているユーザ情報５０１（図６（ａ））を参照して、正しいユーザＩＤ５０１１、パスワード５０１２か否かを認証する。
また、サーバ５の制御部５１は、ユーザ情報５０１の登録の場合には、同様にユーザ情報５０１を参照して、ユーザＩＤ５０１１が既に登録されているか判定し、登録されていなければ、ユーザＩＤ５０１１、パスワード５０１２、名前５０１３、メールアドレス５０１４等を登録する。
【０１５３】
次に、サーバ５の制御部５１は、ユーザ情報５０１の認証又は登録の結果を送信する（ステップＳ４６）。
【０１５４】
すると、プリント端末１の制御部３１は、ユーザ情報５０１の認証又は登録の結果を受信し、認証又は登録がＯＫか否か判定する（ステップＳ４７）。認証がＯＫの場合には（ステップＳ４７でＹｅｓ）、プリント端末１の制御部３１は、ステップＳ４８へ進み、認証がＯＫでない場合には（ステップＳ４７でＮｏ）、プリント端末１の制御部３１は、ステップＳ５０へ進む。
【０１５５】
次に、プリント端末１の制御部３１は、ユーザ情報５０１（ユーザＩＤ５０１１）と購入情報５０２（コンテンツＩＤ５０２２、ユニットＮｏ５０２３）を、サーバ５へ送信する（ステップＳ４８）。
【０１５６】
すると、サーバ５の制御部５１は、ユーザ情報５０１（ユーザＩＤ５０１１）と購入情報５０２（コンテンツＩＤ５０２２、ユニットＮｏ５０２３）とを受信し、記憶部５２に記憶されている購入情報５０２（図６（ｂ））に、ユーザＩＤ５０１１（５０２１）とコンテンツＩＤ５０２２及びユニットＮｏ５０２３とを紐付けて、記憶する（ステップＳ４９）。
【０１５７】
次に、プリント端末１の制御部３１は、コインメック４５、ビルバリ４６、レシートジャーナル処理部４７等を作動させて、購入内容に応じた課金処理を行う（ステップＳ５０）。
【０１５８】
次に、プリント端末１の制御部３１は、購入内容に応じたコンテンツのユニットのユニットデータ５０４３及び必要な場合には説明書５０３４をプリンタ４８へ送信し、印刷を行う（ステップＳ５１）。
【０１５９】
なお、プリント端末１の制御部３１は、プリンタ４８に対して、ユニットデータ５０４３を印刷させる際に、記憶部３２に記憶しているユニット情報５０４（図７（ｂ））の付加情報５０４４に含まれるプリント種別５０７１のPrintType（図９）を参照し、PrintType=Glossyの場合は、グロスプリントを行うように指令を出し、PrintType=Matteの場合は、マットプリントを行うように指令を出す。
【０１６０】
そして、ユーザは、プリント端末１の印刷物取出口１９から、プリント物を取得する。
以上で、プリント端末１及びサーバ５のコンテンツ製造販売処理は終了である。
【０１６１】
本実施形態のコンテンツ製造販売処理は、前述のものに限られず、その趣旨を逸脱しない範囲で変更可能である。
【０１６２】
例えば、プリント端末１の制御部３１は、ステップＳ５１で印刷する際に、コンテンツ情報５０３（図７（ａ））を参照して、ユーザが購入したコンテンツと同一のカテゴリ５０３３のコンテンツを、おすすめコンテンツとして、モニタ４４に表示してもよい。
【０１６３】
また、例えば、プリント端末１の制御部３１は、ステップＳ５１で印刷する際に、ユーザの購入情報５０２（図６（ｂ））と、コンテンツ情報５０３（図７（ａ））を参照して、当該ユーザがコンテンツの全てのユニットを購入したか確認し、全て購入した場合には、特典となるコンテンツを合わせて印刷してもよい。
【０１６４】
また、例えば、図７（ａ）で示すコンテンツ情報５０３に、購入可能な位置情報（例えば、緯度と経度の範囲）を付加し、ユーザの携帯端末７又はプリント端末１の位置情報から、ユーザが購入可能なコンテンツを制限してもよい。その際には、プリント端末１の制御部３１は、ステップＳ２３において、購入不可能なコンテンツを選択できないようにする。
【０１６５】
また、例えば、ステップＳ３１〜Ｓ３４、ステップＳ３５〜Ｓ３７、ステップＳ３８〜Ｓ３９等の処理の順序は適宜変更可能である。
【０１６６】
［メッセージ配信処理］
続いて、図２０を用いて、サーバ５から携帯端末７等へのメッセージ配信処理について説明する。メッセージ配信処理には、コンテンツの続きのユニットが追加更新された場合（ステップＳ６１〜Ｓ６４）と、新規にコンテンツが追加更新された場合（ステップＳ６５〜Ｓ６８）とがある。
【０１６７】
まず、サーバ５の制御部５１は、コンテンツの続きのユニットが追加更新されたか否か判定する（ステップＳ６１）。
続きのユニットが追加更新されていない場合には（ステップＳ６１でＮｏ）、サーバ５の制御部５１は、ステップＳ６５へ進む。一方、続きのユニットが追加更新されている場合には（ステップＳ６１でＹｅｓ）、サーバ５の制御部５１は、ステップＳ６２へ進む。
【０１６８】
次に、サーバ５の制御部５１は、記憶部５２に記憶されている購入情報５０２（図６（ｂ））を参照して、当該コンテンツを購入しているユーザ（ユーザＩＤ５０２１）を特定する（ステップＳ６２）。
【０１６９】
次に、サーバ５の制御部５１は、記憶部５２に記憶されているユーザ情報５０１（図６（ａ））を参照して、特定したユーザ（ユーザＩＤ５０１１）のメールアドレス５０１４を取得し、コンテンツの続きのユニットが追加更新された旨のメッセージを、携帯端末７に配信する（ステップＳ６３）。
【０１７０】
すると、携帯端末７の制御部７１は、メッセージを受信し、メッセージを表示部７５に表示する（ステップＳ６４）。
【０１７１】
次に、サーバ５の制御部５１は、新規にコンテンツ（のユニット）が追加更新されたか否かを判定する（ステップＳ６５）。
新規にコンテンツが追加更新されていない場合には（ステップＳ６５でＮｏ）、サーバ５の制御部５１は、処理を終了する。一方、新規にコンテンツが追加更新されている場合には（ステップＳ６５でＹｅｓ）、サーバ５の制御部５１は、ステップＳ６６へ進む。
【０１７２】
次に、サーバ５の制御部５１は、記憶部５２に記憶されているコンテンツ情報５０３（図７（ａ））を参照して、当該コンテンツと同一のカテゴリ５０３３のコンテンツを特定し、購入情報５０２（図６（ｂ））を参照して、当該同一のカテゴリ５０３３のコンテンツを購入しているユーザ（ユーザＩＤ５０２１）を特定する（ステップＳ６６）。
【０１７３】
次に、サーバ５の制御部５１は、記憶部５２に記憶されているユーザ情報５０１（図６（ａ））を参照して、特定したユーザ（ユーザＩＤ５０１１）のメールアドレス５０１４を取得し、同一カテゴリのコンテンツ（類似するコンテンツ）が追加更新された旨のメッセージを、携帯端末７に配信する（ステップＳ６７）。
【０１７４】
すると、携帯端末７の制御部７１は、メッセージを受信し、メッセージを表示部７５に表示する（ステップＳ６８）。
以上で、サーバ５から携帯端末７等へのメッセージ配信処理は終了である。
【０１７５】
なお、本実施形態のメッセージ配信処理は、前述のものに限られない。
例えば、購入情報５０２（図６（ｂ））に、ユーザのユニットの購入時点の情報を持たせ、サーバ５の制御部５１は、コンテンツのユニットを継続的に購入しているが、ある一定期間購入が滞っているユーザに対して、励ましのメールを配信することも可能である。
【０１７６】
なお、ステップＳ６１〜Ｓ６４、又は、ステップＳ６５〜Ｓ６８の処理は、任意の時点で実行されてよい。
【０１７７】
［説明書等の要求処理］
続いて、図２１を用いて、携帯端末７等からサーバ５への説明書等の要求処理について説明する。要求処理には、説明書５０３４の要求処理（ステップＳ７１〜Ｓ７５）と、組み立て動画５０３５の要求処理（ステップＳ７６〜Ｓ８０）とがある。
【０１７８】
まず、携帯端末７の制御部７１は、コンテンツの説明書５０３４を表示するか否かをユーザに選択させる（ステップＳ７１）。
表示させない場合には（ステップＳ７１でＮｏ）、携帯端末７の制御部７１は、ステップＳ７６へ進み、表示させる場合には（ステップＳ７１でＹｅｓ）、携帯端末７の制御部７１は、ステップＳ７２へ進む。
【０１７９】
次に、携帯端末７の制御部７１は、内蔵のカメラ７７を用いて、印刷したコンテンツのユニット１１５に付されている２次元コード１１５２を読み取り、２次元コード１１５２に含まれるユニットコード５０４５を取得する（ステップＳ７２）。または、携帯端末７の制御部７１は、印刷したコンテンツのユニット１１５に付されている英数字コード１１５１をユーザに入力させて、ユニットコード５０４５を取得してもよい。
【０１８０】
次に、携帯端末７の制御部７１は、ユニットコード５０４５と説明書５０３４の要求とを、サーバ５へ送信する（ステップＳ７３）。
【０１８１】
サーバ５の制御部５１は、ユニットコード５０４５と説明書５０３４の要求とを受信すると、記憶部５２に記憶されているユニット情報５０４（図７（ｂ））から、コンテンツＩＤ５０４１を取得し、コンテンツ情報５０３（図７（ａ））から、説明書５０３４を特定する。そして、サーバ５の制御部５１は、説明書５０３４のデータを、携帯端末７に送信する（ステップＳ７４）。
【０１８２】
すると、携帯端末７の制御部７１は、説明書５０３４のデータを受信して、表示部７５に表示する（ステップＳ７５）。
【０１８３】
続いて、携帯端末７の制御部７１は、コンテンツの組み立て動画５０３５を表示するか否かをユーザに選択させる（ステップＳ７６）。
表示させない場合には（ステップＳ７６でＮｏ）、携帯端末７の制御部７１は、処理を終了する。表示させる場合には（ステップＳ７６でＹｅｓ）、携帯端末７の制御部７１は、ステップＳ７７へ進む。
【０１８４】
次に、携帯端末７の制御部７１は、内蔵のカメラ７７を用いて、印刷したコンテンツのユニット１１５に付されている２次元コード１１５２を読み取り、２次元コード１１５２に含まれるユニットコード５０４５を取得する（ステップＳ７７）。または、携帯端末７の制御部７１は、印刷したコンテンツのユニット１１５に付されている英数字コード１１５１をユーザに入力させて、ユニットコード５０４５を取得してもよい。
【０１８５】
次に、携帯端末７の制御部７１は、ユニットコード５０４５と組み立て動画５０３５の要求とを、サーバ５へ送信する（ステップＳ７８）。
【０１８６】
サーバ５の制御部５１は、ユニットコード５０４５と組み立て動画５０３５の要求とを受信すると、記憶部５２に記憶されているユニット情報５０４（図７（ｂ））から、コンテンツＩＤ５０４１を取得し、コンテンツ情報５０３（図７（ａ））から、組み立て動画５０３５を特定する。そして、サーバ５の制御部５１は、組み立て動画５０３５のデータを、携帯端末７に送信する（ステップＳ７９）。
【０１８７】
すると、携帯端末７の制御部７１は、組み立て動画５０３５のデータを受信して、表示部７５に表示する（ステップＳ８０）。
以上で、携帯端末７等からサーバ５への説明書等の要求処理は終了である。
【０１８８】
なお、ステップＳ７１〜Ｓ７５、又は、ステップＳ７６〜Ｓ８０の処理は、任意の時点で実行されてよい。
【０１８９】
［実施形態の効果］
１．コンテンツプリントシステムによって、コンテンツを複数のユニットに分割して販売することができるので、１回あたりの購入金額を減らすことができ、ユーザの購買意欲を維持することができる。また、ユーザがコンテンツを再購入する必要がある場合にも、ユニット単位で再購入できるので、購入金額を減らすことができる。
２．コンテンツプリントシステムによって、ユーザが続きのユニットを購入する際に、どのユニットまで購入済みなのかが分かり、同一のユニットやコンテンツを重複して購入する可能性をなくすことができる。
３．コンテンツプリントシステムによって、ユーザがユニットを再購入する際には、ユニットコードを入力させることにより、必要なユニットをすぐに特定することができる。
４．コンテンツプリントシステムによって、ユーザに説明書が必要か否かを選択させることにより、印刷枚数が増えるのを抑止することができる。
【０１９０】
５．コンテンツプリントシステムによって、コンテンツのユニットに、持ち込んだ画像や、描画した画像を合成することができるので、付加価値の高いコンテンツのプリント物を取得できる。
６．コンテンツプリントシステムによって、コンテンツのユニットごとに、グロスプリントやマットプリント等のプリント種別を変えることによって、ユニットの内容に応じてツヤやザラつきを表現することができる。
７．コンテンツプリントシステムによって、プリント中に同一カテゴリの別のコンテンツをおすすめコンテンツとして表示できるので、別のコンテンツを購入するきっかけをつくることができる。
【０１９１】
８．コンテンツプリントシステムよって、コンテンツのユニットが追加更新された際にメールを配信することにより、ユーザの購入忘れを防止することができる。
９．コンテンツプリントシステムよって、同一カテゴリのコンテンツが追加更新された際にメールを配信することにより、ユーザの購入のきっかけをつくることができる。
１０．コンテンツプリントシステムによって、ユニットコードを入力させることにより、携帯端末等で簡単に、説明書や組み立て動画を閲覧することができる。
【０１９２】
以上、添付図面を参照しながら、本発明に係るコンテンツプリントシステム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１９３】
１………………………プリント端末
５………………………サーバ
７………………………サーバ
９………………………ネットワーク
１０……………………コンテンツプリントシステム
３１、５１、７１……制御部
３２、５２、７２……記憶部
５０１…………………ユーザ情報
５０２…………………購入情報
５０３…………………コンテンツ情報
５０４…………………ユニット情報
５０５１〜５０５３…コンテンツのユニットの例
５０７…………………付加情報の例
５０８…………………説明書の例
１１１…………………メニュー選択画面
１１２…………………購入方法選択画面
１１３…………………コンテンツ選択画面
１１４…………………ユニット選択画面
１１５…………………コンテンツのユニット
１１６…………………ユニットコード入力画面
１１７…………………画像選択画面
１１８…………………画像調整画面
１１９…………………合成画像確認画面
１２０…………………描画画面
１２１…………………説明書の印刷要否選択画面
【図１】
0006442924.tif 000002
【図２】
0006442924.tif 000003
【図３】
0006442924.tif 000004
【図４】
0006442924.tif 000005
【図５】
0006442924.tif 000006
【図６】
0006442924.tif 000007
【図７】
0006442924.tif 000008
【図８】
0006442924.tif 000009
【図９】
0006442924.tif 000010
【図１０】
0006442924.tif 000011
【図１１】
0006442924.tif 000012
【図１２】
0006442924.tif 000013
【図１３】
0006442924.tif 000014
【図１４】
0006442924.tif 000015
【図１５】
0006442924.tif 000016
【図１６】
0006442924.tif 000017
【図１７】
0006442924.tif 000018
【図１８】
0006442924.tif 000019
【図１９】
0006442924.tif 000020
【図２０】
0006442924.tif 000021
【図２１】
0006442924.tif 000022